(57)【要約】  【課題】地板との間に回転子を配置する枠部材に、略Ｕ字形のヨークの一方の脚部を挿通させるボビン部を設けており、組立時には、ヨークを、枠部材との相対位置がずれないようにしておいて地板に位置決めできるようにした電磁アクチュエータ、及びそれを用いたカメラ用羽根駆動装置を提供すること。  【解決手段】地板１との間に回転子４を配置する合成樹脂製の枠部材５は、コイル６を巻回した筒状のボビン部５ｃと先端が球面の突起部５ｆを有している。略Ｕ字形をしたヨーク７は、基部７ａに案内用の溝７ｅと孔７ｄを有している。ヨーク７の脚部７ｃをボビン部５ｃに挿入していくと、枠部材５は、突起部５ｆを溝７ｅに押されて変形し、孔７ｄが突起部５ｆに対向すると原形に復し、ヨーク７と相互に取り付けられる。その後、孔７ｄを地板１の位置決め軸１ｋに嵌合させ、枠部材５を地板１に取り付けるようにする。【選択図】  図３
2008136260.tif 000002
【特許請求の範囲】
【請求項１】
位置決め部を有している地板と、筒状をしていてコイルを巻回しているボビン部と前記地板側に突き出た突起部とを有していて前記地板に対して平行に取り付けられている枠部材と、永久磁石を有していて前記地板と前記枠部材の間においてそれらの少なくとも一方に回転可能に取り付けられている回転子と、基部と該基部から略同じ方向へ張り出した二つの脚部とで略Ｕ字形をしていて該基部には前記位置決め部に接触して位置規制される被位置決め部を有しており一方の脚部を前記ボビン部に挿通させて該二つの脚部の先端を磁極部とし前記回転子の周面に対向させていると共に該一方の脚部を前記ボビン部に挿通した後は該被位置決め部が前記突起部に係合して所定の力を加えないと前記ボビン部から抜けないようにされているヨークと、を備えていることを特徴とする電磁アクチュエータ。
【請求項２】
前記ヨークの前記基部には、前記一方の脚部を前記ボビン部に挿通するとき、前記回転子側から前記被位置決め部まで、前記突起部の先端を摺接させ案内する浅い溝が形成されていることを特徴とする請求項１に記載の電磁アクチュエータ。
【請求項３】
前記枠部材には、前記突起部の設けられた位置に、前記突起部に代えて孔が形成されており、また、前記ヨークには、前記被位置決め部が前記地板側の面だけに設けられていて、該被位置決め部が設けられている位置の前記枠部材側の面には、前記突起部に代えて設けられた前記孔に係合する突起部が設けられていることを特徴とする請求項１に記載の電磁アクチュエータ。
【請求項４】
前記枠部材には、前記ヨーク側の面に、前記ヨークの前記一方の脚部を前記ボビン部に挿通するとき、前記孔まで前記ヨークの前記突起部の先端を摺接させ案内する浅い溝が形成されていることを特徴とする請求項３に記載の電磁アクチュエータ。
【請求項５】
前記位置決め部が、前記地板に立設された軸部であり、前記被位置決め部が、前記基部の入り江状に切り込んで形成された切欠き部であることを特徴とする請求項１乃至４のいずれかに記載の電磁アクチュエータ。
【請求項６】
前記位置決め部が、前記地板に立設された軸部であり、前記被位置決め部が、該軸部を嵌合させる孔であることを特徴とする請求項１乃至４のいずれかに記載の電磁アクチュエータ。
【請求項７】
前記突起部の先端面が、球面又は円弧面に形成されていることを特徴とする請求項１乃至６のいずれかに記載の電磁アクチュエータ。
【請求項８】
撮影用の開口部を有している前記地板と、該開口部に進退させるために前記地板に対して往復作動可能に取り付けられている少なくとも１枚の羽根と、前記羽根を往復作動させる駆動源とを備えていて、前記駆動源は、請求項１乃至７のいずれかに記載の電磁アクチュエータであることを特徴とするカメラ用羽根駆動装置。
【請求項９】
前記回転子は、所定の角度範囲で一体的に往復回転する出力ピンを有していて、前記羽根は、該出力ピンによって往復作動させられることを特徴とする請求項８に記載のカメラ用羽根駆動装置。
【請求項１０】
撮影用の開口部と二つの前記位置決め部を有している前記地板と、該開口部に進退させるために前記地板に対して往復作動可能に取り付けられている少なくとも１枚の羽根と、二つの前記ボビン部と二つの前記突起部を有している前記枠部材と、二つの前記ヨークと、前記羽根を往復作動させる駆動源とを備えていて、二つの前記ヨークは、前記回転子を間にして配置されており、該駆動源は、請求項１乃至７のいずれかに記載の電磁アクチュエータであることを特徴とするカメラ用羽根駆動装置。
【請求項１１】
前記回転子は、出力歯車を有していて、前記羽根は、該出力歯車によって間接的に往復作動させられることを特徴とする請求項１０に記載のカメラ用羽根駆動装置。
【発明の詳細な説明】
【技術分野】
【０００１】
本発明は、略Ｕ字形をしているヨークの一方の脚部にコイルを巻回し、両方の脚部の先端に形成された磁極部を、永久磁石を有する回転子の周面に対向させるように構成した電磁アクチュエータ、及びその電磁アクチュエータを用いて、少なくとも１枚の羽根を往復作動させるようにしたカメラ用羽根駆動装置に関する。
【背景技術】
【０００２】
下記の特許文献１には、永久磁石を有する回転子（特許文献１においては、ロータ。以下、括弧内は特許文献１で使用されている名称）が、地板（ベース）と、地板に取り付けられた枠部材（ボビン兼押え部材）との間に回転可能に配置されていて、略Ｕ字形をしている二つのヨーク（上側ヨーク、下側ヨーク）は、夫々、一方の脚部（直線部）を、枠部材（ボビン兼押え部材）に設けられていてコイル（コイル）を巻回した筒状のボビン部（ボビン）に挿通し、両方の脚部（直線部、湾曲部）の先端に形成された磁極部（第１磁極部、第２磁極部）を回転子（ロータ）の周面に対向させているようにした電磁アクチュエータが記載されている。そして、そのヨーク（上側ヨーク、下側ヨーク）は、孔（位置決め孔）を、地板（ベース）に設けられている軸（ピン）に嵌合させることによって位置決めされている。
【０００３】
下記の特許文献２には、上記の特許文献１に記載されている電磁アクチュエータにおける枠部材（ボビン兼押え部材）が、板状の押え板とボビンとに分離されている構成の電磁アクチュエータが記載されている。従って、特許文献１に記載されている電磁アクチュエータの方が、部品点数が一つ少なくなるため、その点だけをみれば特許文献２に記載されている電磁アクチュエータよりも有利な構成といえる。また、特許文献１に記載の電磁アクチュエータは、二つのヨーク（上側ヨーク、下側ヨーク）を重ねて、夫々の一方の脚部（直線部）をボビン部（ボビン）に挿通しているが、特許文献２に記載の電磁アクチュエータは、ヨークが一つでもよいように構成されている。従って、ヨークの点だけをみれば、部品点数が一つ少なくなるため、特許文献２に記載されている電磁アクチュエータの方が特許文献１に記載されている電磁アクチュエータよりも有利な構成といえる。
【０００４】
そして、現段階においては最適な特許文献を提示することができないが、特許文献１に記載されている電磁アクチュエータの構成において、特許文献２に記載されている電磁アクチュエータのように、ヨークを一つだけ備えているようにした電磁アクチュエータ（以下、従来の電磁アクチュエータという）も知られている。本発明は、そのような構成の電磁アクチュエータ及びそれを用いたカメラ用羽根駆動装置に関するものである。
【０００５】
【特許文献１】特開２００４−３２８７３号公報
【特許文献２】特開２００６−１０１６４９号公報
【発明の開示】
【発明が解決しようとする課題】
【０００６】
上記のような従来の電磁アクチュエータを組み立てる場合は、先ず最初に、回転子を地板に立設されている軸に回転可能に取り付けておき、次に、ヨークの一方の脚部を枠部材のボビン部に挿通させた状態にしておいてからヨークに形成されている孔を地板に設けられた軸に嵌合させて位置決めを行い、最後に、枠部材を地板に取り付けることになる。ところが、ヨークの孔を地板の軸に嵌合させるときには、枠部材とヨークの相対位置がずれてヨークの一方の脚部がボビン部から抜け易い状態になっている。また、ヨークは枠部材よりも小さい部材であって、その孔を地板の軸に嵌合させるときには、枠部材に隠れて作業者には見にくい状態になっている。そのため、作業者は、ヨークと枠部材の相対位置関係がずれないように、細心の注意をはらいながら組み付け作業を行うことになり、組立作業時間が大幅に長くなってコスト上極めて不利であるという問題点があった。また、枠部材とヨークとの相対位置がずれ易いことから、組立ロボットによる自動化が極めて困難であるという問題点もあった。
【０００７】
本発明は、このような問題点を解決するためになされたものであり、その目的とするところは、地板に取り付けられていて地板との間に回転子を配置するようにした枠部材にボビン部を設け、そのボビン部に、略Ｕ字形をしているヨークの一方の脚部を挿通させた構成の電磁アクチュエータであって、組立時においては、予め一方の脚部をボビン部に挿通させておいたヨークを、枠部材との相対位置関係をずれないようにして、地板に対して位置決めすることを可能にした、コスト上で有利な小型の電磁アクチュエータ、及びそれを用いたカメラ用羽根駆動装置を提供することである。
【課題を解決するための手段】
【０００８】
上記の目的を達成するために、本発明の電磁アクチュエータは、位置決め部を有している地板と、筒状をしていてコイルを巻回しているボビン部と前記地板側に突き出た突起部とを有していて前記地板に対して平行に取り付けられている枠部材と、永久磁石を有していて前記地板と前記枠部材の間においてそれらの少なくとも一方に回転可能に取り付けられている回転子と、基部と該基部から略同じ方向へ張り出した二つの脚部とで略Ｕ字形をしていて該基部には前記位置決め部に接触して位置規制される被位置決め部を有しており一方の脚部を前記ボビン部に挿通させて該二つの脚部の先端を磁極部とし前記回転子の周面に対向させていると共に該一方の脚部を前記ボビン部に挿通した後は該被位置決め部が前記突起部に係合して所定の力を加えないと前記ボビン部から抜けないようにされているヨークと、を備えているようにする。その場合、前記ヨークの前記基部には、前記一方の脚部を前記ボビン部に挿通するとき、前記回転子側から前記被位置決め部まで、前記突起部の先端を摺接させ案内する浅い溝が形成されているようにすると、ボビン部に対する脚部の挿通が好適に行えるようになる。
【０００９】
また、前記枠部材には、前記突起部の設けられた位置に、前記突起部に代えて孔が形成されており、また、前記ヨークには、前記被位置決め部が前記地板側の面だけに設けられていて、該被位置決め部が設けられている位置の前記枠部材側の面には、前記突起部に代えて設けられた前記孔に係合する突起部が設けられているようにしてもよく、その場合、前記枠部材には、前記ヨーク側の面に、前記ヨークの前記一方の脚部を前記ボビン部に挿通するとき、前記孔まで前記ヨークの前記突起部の先端を摺接させ案内する浅い溝が形成されているようにすると、ボビン部に対する脚部の挿通が好適に行えるようになる。
【００１０】
また、本発明の電磁アクチュエータにおいては、前記位置決め部が、前記地板に立設された軸部であり、前記被位置決め部が、前記基部の入り江状に切り込んで形成された切欠き部であるようにしてもよいし、前記位置決め部が、前記地板に立設された軸部であり、前記被位置決め部が、該軸部を嵌合させる孔であるようにしてもよい。更に、前記突起部の先端面が、球面又は円弧面に形成されているようにすると、ボビン部に対する脚部の挿通が円滑になる。
【００１１】
また、撮影用の開口部を有している前記地板と、該開口部に進退させるために前記地板に対して往復作動可能に取り付けられている少なくとも１枚の羽根と、前記羽根を往復作動させる駆動源とを備えていて、前記駆動源は、上記のいずれかに記載の電磁アクチュエータであるようにすると、光軸に沿った方向の厚さを薄型化した各種のカメラ用羽根駆動装置が得られる。そして、その場合には、前記回転子は、所定の角度範囲で一体的に往復回転する出力ピンを有していて、前記羽根は、該出力ピンによって往復作動させられるようにすると、コスト面できわめて有利なものになる。また、そのような構成とは異なり、撮影用の開口部と二つの前記位置決め部を有している前記地板と、該開口部に進退させるために前記地板に対して往復作動可能に取り付けられている少なくとも１枚の羽根と、二つの前記ボビン部と二つの前記突起部を有している前記枠部材と、二つの前記ヨークと、前記羽根を往復作動させる駆動源とを備えていて、二つの前記ヨークは、前記回転子を間にして配置されており、該駆動源は、上記のいずれかに記載の電磁アクチュエータであるように構成してもよい。そして、その場合には、前記回転子は、出力歯車を有していて、前記羽根は、該出力歯車によって間接的に往復作動させられるようにすると、複数枚の羽根を同時に同じ方向へ回転させて絞り口径を変化させるようにしたカメラ用絞り装置が得られる。
【発明の効果】
【００１２】
本発明は、地板に取り付けられていて地板との間に回転子を配置している枠部材に筒状のボビン部を設け、そのボビン部に、略Ｕ字形をしているヨークの一方の脚部を挿通させている構成の電磁アクチュエータにおいて、ヨークの一方の脚部をボビン部に挿通したとき、枠部材とヨークのいずれか一方に設けられた突起部が他方に係合して、枠部材とヨークとの相対位置関係がずれないようになるため、組立時において、ヨークの被位置決め部を地板に設けた位置決め部に対して位置合わせし易くなり、コスト上で極めて有利である。また、それによって、組立の自動化も容易になるという特徴がある。
【発明を実施するための最良の形態】
【００１３】
本発明の実施の形態を、二つの実施例によって説明する。各実施例は、本発明をカメラ用シャッタ装置として構成したものであるが、単体の電磁アクチュエータとして構成する場合や、シャッタ装置以外のカメラ用羽根駆動装置として構成する場合のことは、適宜説明することにする。尚、図１〜図４は、実施例１を説明するためのものであり、図５〜図８は、実施例２を説明するためのものである。
【実施例１】
【００１４】
図１〜図４を用いて本実施例を説明するが、図１は、カメラ用シャッタ装置を被写体側から見た平面図であり、図２は、図１に示された部材の重なり関係を分かり易く示した断面図である。また、図３は、図１における電磁アクチュエータの枠部材とヨークだけを示した平面図であり、図４は、図３のＡ―Ａ線で切断し矢示方向に見た断面図である。尚、本実施例は、携帯電話を含む情報端末機器に内蔵するためのデジタルカメラ用シャッタ装置として構成したものである。そのため、各構成部材は、実際には極めて小さく、製作上、取り扱いにくい部材であるが、各図面においては、それらを拡大して示してある。
【００１５】
そこで、先ず、本実施例の構成を説明する。地板１は、合成樹脂製であって、平面形状は略長方形をしているが、図２から分かるように、その両面は複雑な形状をしている。そして、この地板１には、図１に示されているように、円形をした撮影光路用の開口部１ａが形成されており、その左方向のやや下の位置には、円弧状をしたの長孔１ｂが形成されている。また、外形が地板１より若干小さくて、地板１との間に羽根室を構成しているカバー板２は、上記の開口部１ａと対向するところに、開口部１ａよりも直径のやや大きな開口部２ａを形成しており、上記の長孔１ｂと対向するところには、略同じ形状をした長孔２ｂ（図２参照）を形成している。
【００１６】
地板１の羽根室側の面には、羽根軸１ｃと二つのストッパ軸１ｄ，１ｅのほか、複数の取付軸１ｆが立設されている。それらのうち、羽根軸１ｃの先端は、図２に示されているように、カバー板２に形成した孔２ｂに挿入されており、ストッパ軸１ｄ，１ｅの先端は、図１に示されているように、カバー板２に形成した孔２ｃ，２ｄに挿入されている。また、複数の取付軸１ｆは、それらのうちの二つだけが図２に示されているが、それらは、組立前には円柱形をしており、組立時においてそれらをカバー板２の孔に貫通させ、先端を熱溶解で鍔状に変形させられることによって、カバー板２を取り付けている。そして、そのように構成された羽根室内において、長孔３ａを有するシャッタ羽根３が、上記の羽根軸１ｃに対して回転可能に取り付けられている。尚、図１においては、開口部１ａを閉鎖している状態のシャッタ羽根３を、二点鎖線で示してある。
【００１７】
地板１には、羽根室とは反対側になる面に、回転子軸１ｇと、二つの取付軸１ｈ，１ｉと、フック部１ｊと、位置決め軸１ｋとが設けられていて、電磁アクチュエータの構成部材が、それらに取り付けられている。本実施例の電磁アクチュエータは、特許文献１，２に記載されているように、永久磁石を有する回転子と、コイルを巻回したボビンを一方の脚部に嵌装した略Ｕ字形のヨークとを備えていて、回転子を、コイルへの通電方向に対応した方向へ、所定の角度範囲内でだけ回転させるタイプの電流制御式のモータである。
【００１８】
先ず、本実施例の回転子４は、径方向に２極に着磁されている円筒状をした永久磁石製の本体部４ａを有していて、上記の回転子軸１ｇに回転可能に取り付けられているが、図１においては、その磁極の境界を一点鎖線で示してある。また、その本体部４ａと一体化されていて、径方向へ張り出した合成樹脂製のアーム４ｂには、その先端に出力ピン４ｃが設けられている。そして、その出力ピン４ｃは、地板１の長孔１ｂから羽根室内に挿入されてシャッタ羽根３の長孔３ａに嵌合しており、その先端を、カバー板２の長孔２ｂに挿入している。尚、本実施例の本体部４ａは、円筒状に形成されているが、略円柱状に形成して、その軸方向の両端面の中心を、地板１と後述の枠部材５で軸受けされているようにしてもよい。また、周知のように、回転子４全体を永久磁石製としても構わない。更に、図１においては、シャッタ羽根３が開口部１ａを閉鎖しているときのアーム４ｂと出力ピン４ｃとを、二点鎖線で示してある。
【００１９】
本実施例の枠部材５は、合成樹脂製であって、上記の取付軸１ｈ，１ｉを挿入させるための孔５ａ，５ｂを有しており、それらの間には、筒状のボビン部５ｃを形成している。そして、そのボビン部５ｃには、コイル６が巻回されている。また、そのボビン部５ｃの両側には、被写体側に向けて二つの端子ピン５ｄ，５ｅが立設されていて、コイル６の両端を取り付けるようにしている。更に、枠部材５には、その地板１側の面に、先端面が球面をした突起部５ｆと、回転子４の本体部４ａの一部を受け入れる円形の窪み５ｇが設けられていて、その窪み５ｇの内部には、本体部４ａの被写体側の端面に摺接するリング状の摺接部５ｈが形成されている。尚、図示していないが、通常は、この枠部材５の被写体側の面に、フレキシブルプリント配線板が取り付けられる。
【００２０】
本実施例のヨーク７は、基部７ａと、その基部７ａから同じ方向へ長く張り出した二つの脚部７ｂ，７ｃとで、略Ｕ字形をしている。また、基部７ａには、孔７ｄが形成されているほか、枠部材５側の面には、回転子４側から孔７ｄまで直線的な浅い溝７ｅが形成されているが、その溝７ｅの断面形状は、直線の３辺からなる凹形状である。そして、孔７ｄには、地板１側から上記の位置決め軸１ｋが嵌合されており、枠部材５側からは、上記の突起部５ｆがその孔７ｄの縁に係合している。また、二つの脚部７ｂ，７ｃは、一方の脚部７ｃをボビン部５ｃの中空部内に貫通させ、両者の先端を磁極部として、上記の本体部４ａの周面に対向させている。そして、図２から分かるように、それらの磁極部は、本体部４ａの軸方向の真中よりもやや上方位置で本体部４ａの周面に対向しているため、回転子４は、本体部４ａとそれらの磁極部との間に作用する永久磁石の磁力によって枠部材５側に吊り上げられ、その上端面が常に摺接部５ｈに接触させられるようになっている。
【００２１】
このような枠部材５とヨーク７は、次のようにして地板１に取り付けられている。先ず、枠部材５の中空部にヨーク７の脚部７ｃを挿入して押し込んでいく。このとき、最初は、スムーズに押されていくが、基部７ａが枠部材５の突起部５ｆのところまでくると、ヨーク７の溝７ｅの深さよりも枠部材５の突起部５ｆの高さの方が若干高いため、挿入に抵抗感を生じるようになる。そこで、それまでよりも強い力でヨーク７を押すと、ヨーク７は、突起部５ｆの球面の作用で枠部材５を僅かに変形させてゆき、その後は溝７ｅを突起部５ｆの一番高いところに摺接させて押されていくようになる。そして、ヨーク７の孔７ｄが枠部材５の突起部５ｆに対向するにつれて、枠部材５は原形に復しつつ突起部５ｆの先端を孔７ｄの中に入れていく。図３及び図４は、そのようにして、枠部材５とヨーク７が相互に取り付けられた状態を示したものである。尚、本実施例の場合には、突起部５ｆの先端面が球面に形成されているが、その断面形状が図４に示されている突起部５ｆと実質的に同じになるような円弧面に形成しても構わない。また、本実施例の場合には、被位置決め部としての孔７ｄが円形に形成されているが、それを、例えば四角などの他の形状の孔にしても構わない。
【００２２】
このようにして枠部材５とヨーク７を相互に取り付けた後、その組立体を地板１に取り付けることになるが、その段階では、地板１の取付軸１ｈ，１ｉは未だ長い円柱形をしている。そこで先ず、枠部材５の孔５ａ，５ｂと地板１の取付軸１ｈ，１ｉとの位置合わせをしておき、枠部材５を地板１側へ移動させて両者を嵌合させていくことになるが、そのような位置合わせを行うときにも、その後、地板１側へ移動させていくときにも、ヨーク７は、脚部７ｃの付け根がボビン部５ｃの中空部の縁に接触し、孔７ｄの縁が突起部５ｆの球面に接触するようになっているため、枠部材５との相対位置関係は殆ど変わることがない。そのため、次にヨーク７の孔７ｄと地板１の位置決め軸１ｋとを嵌合させる段階では、それらの相対位置関係が正確に目視できなくても、両者を確実に嵌合させることができる。そして、孔７ｄと位置決め軸１ｋとを嵌合させた後、最後に、円柱形をしている地板１の取付軸１ｈ，１ｉの先端を熱溶解させ鍔状に変形させることによって、図１及び図２に示された取付状態が得られる。
【００２３】
次に、本実施例の作動を説明する。図１は、撮影待機状態を示したものであって、シャッタ羽根３と回転子４の出力ピン４ｃは、破線で示した状態にあって、開口部１ａは全開になっている。このとき、コイル６には通電されていない。しかしながら、周知のように、このとき、回転子４は、永久磁石製の本体部４ａの磁極とヨーク７の二つの磁極部との対向配置関係によって作用する磁気吸引力により、時計方向へ回転するように付勢されており、出力ピン４ｃによってシャッタ羽根３を反時計方向へ回転させようとしているが、シャッタ羽根３がストッパ軸１ｄに接触しているので、この状態を維持されている。そのため、この状態においては、撮影者は、液晶表示装置などを介して被写体像を観察することが可能になっている。
【００２４】
撮影に際してレリーズボタンを押すと、それまで、固体撮像素子に蓄積されていた電荷を放出することによって、撮影のための電荷の蓄積が開始される。そして、所定の時間が経過すると、露光時間制御回路からの信号によって、コイル６に、順方向の電流が供給される。そのため、回転子４は反時計方向へ回転させられ、出力ピン４ｃによってシャッタ羽根３を時計方向へ回転させる。それによって、シャッタ羽根３は、閉じ作動を行い、開口部１ａを完全に閉じた直後に、ストッパ軸１ｅに当接して停止する。図１においては、このときの、シャッタ羽根３と出力ピン４ｃの位置が二点鎖線で示されている。
【００２５】
このようにして、開口部１ａが閉鎖状態になると、撮像情報が画像記憶装置に転送される。そして、その転送が終わると、今度は、コイル６に対して逆方向の電流が供給される。そのため、回転子４は時計方向へ回転させられ、出力ピン４ｃによってシャッタ羽根３を反時計方向へ回転させる。それによって、シャッタ羽根３は、開口部１ａを開いてゆき、全開した直後にストッパ軸１ｄに当接して停止する。そして、その直後に、コイル６に対する通電を断った状態が、上記の撮影待機状態ということになる。
【００２６】
尚、本実施例は、１枚のシャッタ羽根を往復回転させるようにしたシャッタ装置として構成したものであるが、本発明は、特許文献１，２に記載されているように、２枚のシャッタ羽根を相反する方向へ同時に往復回転させるようにしたシャッタ装置としても構成することが可能である。また、そのように構成されたシャッタ装置や本実施例のようなシャッタ装置は、殆ど同じ構成のまま、レンズバリア装置として採用することも可能である。また、本発明は、本実施例のシャッタ羽根３に、開口部１ａよりも小さな円形の開口部を形成することによって、絞り装置とすることも可能であるし、そのようにしてシャッタ羽根３に形成した開口部にＮＤフィルタ板を取り付けることによって、フィルタ装置とすることも可能である。更に、そのようなシャッタ装置，絞り装置，フィルタ装置の二つ以上を一つのユニットとして構成してもよく、そのように構成する場合には、共通の地板上に、本実施例のような電磁アクチュエータを二つ以上設けることになる。そして、これらのことは、下記の実施例２の場合にも言えることである。
【実施例２】
【００２７】
次に、図５〜図８を用いて実施例２を説明するが、図５は、カメラ用シャッタ装置を被写体側から見た平面図であり、図６は、図５に示された部材の重なり関係を分かり易く示した断面図である。また、図７は、図５における電磁アクチュエータの枠部材とヨークだけを示した平面図であり、図８は、図７のＢ―Ｂ線で切断し矢示方向に見た断面図である。本実施例の構成は、実施例１で説明した枠部材５の一部の形状と、ヨーク７の一部の形状が異なるだけである。そのため、本実施例の構成説明は、その異なる部位についてだけ行うことにし、実施例１と同じ部材，同じ部位には、図１〜図４の場合と同じ符号を付け、それらについての説明を省略する。
【００２８】
本実施例の枠部材５は、実施例１において突起部５ｆが形成されていたところに、突起部５ｉが形成されているが、その他の形状は実施例１の場合と同じである。そして、その突起部５ｉは、先端面がフラットであってボビン部５ｃ側が一番高い傾斜面として形成されている。また、本実施例のヨーク７は、実施例１で孔７ｄが形成されていたところに、基部７ａの縁から入り江状に切り込んだ形状をしている切欠き部７ｆが形成されているが、その他の形状は実施例１の場合と同じである。
【００２９】
このような枠部材５とヨーク７とは、次のようにして相対的に取り付けられる。枠部材５の中空部にヨーク７の脚部７ｃを挿入して押し込んでいく。このとき、最初は、スムーズに押されていくが、基部７ａが枠部材７の突起部５ｉのところまでくると、挿入に抵抗感を生じるようになる。そこで、それまでよりも強い力でヨーク７を押すと、ヨーク７は、突起部５ｉの傾斜面の作用で枠部材５を徐々に変形させ、傾斜面の一番高いところが溝７ｅのレベルになってからは、溝７ｅを突起部５ｉの一番高いところに摺接させて押されていくようになる。そして、ヨーク７の切欠き部７ｆの縁が枠部材５の突起部５ｉの一番高い位置を越えると、枠部材５は瞬間的に原形に復し、突起部５ｉを切欠き部７ｆに落とし込む。図７及び図８は、そのようにして、枠部材５とヨーク７が相互に取り付けられた状態を示したものである。
【００３０】
その後、枠部材５とヨーク７との組立体を地板１に対して取り付けることになるが、その取り付け方は実施例１の場合と全く同じであるため、説明を省略する。また、本実施例のシャッタ装置は、実施例１の場合と同じようにして作動させられるので、その説明も省略する。尚、本実施例の場合には、ヨーク７の被位置決め部が、切欠き部７ｆとして形成されているが、それを、円形の孔や四角い孔などにしても構わない。しかしながら、上記の図１と図５を比較してみれば分かるように、本実施例のような切欠き部７ｆにすると、ヨーク７の全体の長さを短くすることが可能になる。更に、本実施例の切欠き部７ｆの形状をそのままにしておいて、突起部５ｉの形状を、実施例１における突起部５ｆの形状にしても構わない。そのようにすると、組付け不良が生じたときや修理時などに、枠部材５とヨーク７との組み換えが容易になる。
【００３１】
尚、上記の各実施例においては、ヨーク７に溝７ｅを形成しているが、この溝７ｅは案内用の溝であって、形成しておけば枠部材５とヨーク７との相互の組み付けが容易になるが、必ずしも必要なものではない。また、上記の各実施例においては、地板１に設けられている本発明の位置決め部が、円柱状の位置決め軸１ｋとして立設されているが、その形状は円柱状に限定されない。特に、実施例２の形状をしたヨーク７の場合には、軸部として立設するのではなく、枠部材５を載置した肉厚部の側壁からヨーク７側に張り出していて、切欠き部７ｆ内に開放部側から入り込んだ半島状に形成しても構わない。更に、上記の各実施例においては、ヨーク７に設けられている孔７ｄと切欠き部７ｆとが、いずれも、地板１側の面から枠部材５側の面まで形成されているが、本発明は、それらを、地板１側の面だけに形成し、それらの形成位置に対応する枠部材５側の面には、枠部材５に向けて凸状をした突起部を設けるとともに、枠部材５には、その突起部が係合する孔を設けるようにしてもよい。そして、その場合には、上記の各実施例における溝７ｅに相当する溝を、枠部材５の端部からその孔位置まで形成することが好ましい。
【００３２】
上記の各実施例は、本発明を、カメラ用羽根駆動装置のうち、シャッタ装置として構成したものである。また、上記においては、絞り装置などの他のカメラ用駆動装置とする場合の構成例についても説明した。しかしながら、地板の平面形状を、枠部材の平面形状に近い形状にすることによって、単体の電磁アクチュエータとして構成したものも本発明の実施態様である。更に、上記の各実施例における電磁アクチュエータは、枠部材にボビン部が一つだけ設けられ、ヨークが一つだけ備えられたものとして構成されているが、本発明は、そのような構成に限定されない。例えば、特開平９−２３０４２０号公報や、特開２００１−２０１７８０号公報に記載のカメラ用絞り装置に用いられている電磁アクチュエータのように、回転子の永久磁石を４極とし、上記の出力ピンを出力歯車にすると共に、回転子を間にして二つのヨークを配置するようにした電磁アクチュエータとして構成することも可能であり、そのようにする場合には、二つのボビン部と、二つの突起部を有する枠部材を備えればよいことになる。また、ヨークの形状は異なるが、回転子の永久磁石を４極にし、その回転子を間にしてヨークを二つ備えるようにした電磁アクチュエータであって、回転子に上記の出力ピンを一体的に設けるようにした電磁アクチュエータも知られているが、本発明は、そのような電磁アクチュエータとして構成することも可能である。
【図面の簡単な説明】
【００３３】
【図１】カメラ用シャッタ装置を被写体側から見た実施例１の平面図である。
【図２】図１に示された部材の重なり関係を分かり易く示した断面図である。
【図３】図１における電磁アクチュエータの枠部材とヨークだけを示した平面図である。
【図４】図３のＡ―Ａ線で切断し矢示方向に見た断面図である。
【図５】カメラ用シャッタ装置を被写体側から見た実施例２の平面図である。
【図６】図５に示された部材の重なり関係を分かり易く示した断面図である。
【図７】図５における電磁アクチュエータの枠部材とヨークだけを示した平面図である。
【図８】図７のＢ―Ｂ線で切断し矢示方向に見た断面図である。
【符号の説明】
【００３４】
１                            地板
１ａ，２ａ                    開口部
１ｂ，２ｂ，３ａ              長孔
１ｃ                          羽根軸
１ｄ，１ｅ                    ストッパ軸
１ｆ，１ｈ，１ｉ              取付軸
１ｇ                          回転子軸
１ｊ                          フック部
１ｋ                          位置決め軸
２                            カバー板
２ｂ，２ｃ，２ｄ，５ａ，５ｂ，７ｄ  孔
３                            シャッタ羽根
４                            回転子
４ａ                          本体部
４ｂ                          アーム
４ｃ                          出力ピン
５                            枠部材
５ｃ                          ボビン部
５ｄ，５ｅ                    端子ピン
５ｆ，５ｉ                    突起部
５ｇ                          窪み
５ｈ                          摺接部
６                            コイル
７                            ヨーク
７ａ                          基部
７ｂ，７ｃ                    脚部
７ｅ                          溝
７ｆ                          切欠き部
【図１】
2008136260.tif 000003
【図２】
2008136260.tif 000004
【図３】
2008136260.tif 000005
【図４】
2008136260.tif 000006
【図５】
2008136260.tif 000007
【図６】
2008136260.tif 000008
【図７】
2008136260.tif 000009
【図８】
2008136260.tif 000010